(57)【要約】      （修正有）【課題】プラント運用拠点からの異常プロセス量の実データで訓練用シナリオが作成され、訓練用シナリオが防災訓練拠点で行われる防災訓練に適用されるまでのプロセスを連続的且つ特定された流れを確立する防災訓練システムおよび防災訓練支援方法を提供する。【解決手段】防災訓練支援システム１は、異常が検出されたプロセス量の実データＰを外部に発信するプラント運用拠点10と、プラント運用拠点10からプロセス量の実データＰを受信し、指標として防災対策を作成する緊急対策拠点20と、登録された訓練用シナリオに示された対象プラント機器のプロセス量のシミュレーションを実行し、シミュレーション結果の異常に応じた防災訓練を可能にする防災訓練拠点30と、プラント運用拠点10から緊急対策拠点20に送信されたプロセス量の実データを訓練用データとして用いて訓練用シナリオを作成し防災訓練拠点30に登録する防災拠点連携手段50を備える。【選択図】図１
2010271591.tif 000002
【特許請求の範囲】
【請求項１】
プラントのプロセス量を監視して異常が検出されたプロセス量の実データを外部に発信するプラント運用拠点と、
このプラント運用拠点からプロセス量の実データを受信し、このプロセス量の実データを指標として防災対策が作成される緊急対策拠点と、
特定のプラント機器のプロセス量に異常が検出されたものと仮定したとき、そのプロセス量の異常により如何なるプラント機器のプロセス量に異常が生じ得るかを示した訓練用シナリオが登録可能に設けられ、シミュレーションの実行要求信号を受けて、登録された訓練用シナリオに示された対象プラント機器のプロセス量のシミュレーションを実行し、シミュレーション結果に応じた防災訓練を可能にする防災訓練拠点と、
前記プラント運用拠点から緊急対策拠点に送信されたプロセス量の実データを訓練用データとして用いて訓練用シナリオを作成し、作成した訓練用シナリオを前記防災訓練拠点に登録する防災拠点連携手段と、
を備えることを特徴とする防災訓練支援システム。
【請求項２】
前記防災拠点連携手段は、
防災訓練支援システムのオペレータによる操作を受け、前記防災訓練拠点に対して前記シミュレーションの実行要求信号を送信するシミュレーション実行要求部と、
前記防災訓練拠点で実行されるシミュレーションにより得られたプロセス量のシミュレーション値を、前記緊急対策拠点に送信する情報通信管理部と、
を有することを特徴とする請求項１に記載の防災訓練支援システム。
【請求項３】
前記緊急対策拠点は、防災訓練拠点で実行されるシミュレーションにより得られたプロセス量のシミュレーション値を受け取ったとき、防災訓練が実施中である旨を報知する報知手段を有することを特徴とする請求項２に記載の防災訓練支援システム。
【請求項４】
前記防災拠点連携手段は、前記防災訓練拠点のシミュレーションにより得られ、前記緊急対策拠点に送信されるプロセス量のシミュレーション値と、前記プラント運用拠点で取得され、前記緊急対策拠点に送信されるプロセス量の実データとの統合データを作成すると共に、この統合データにプロセス量のシミュレーション値と実データとを識別可能な情報を付加するデータ統合部を有することを特徴とする請求項２に記載の防災訓練支援システム。
【請求項５】
前記防災拠点連携手段は、訓練モード切り替え要求を受けたとき、前記緊急対策拠点に送信されたプロセス量の実データを用いて作成された訓練用シナリオを用いる連携訓練モードとするか、前記緊急対策拠点に送信されたプロセス量の実データを用いないで作成された訓練用シナリオを用いる単独訓練モードとするかの訓練モード切り替えを行うことを特徴とする請求項１に記載の防災訓練支援システム。
【請求項６】
前記防災拠点連携手段は、
前記訓練モード切り替え要求を受けたとき、防災訓練が実施中のときは実施中の防災訓練の終了信号を受けたことを条件に、要求を受けた訓練モードに切り替える訓練モード通常切り替え機能と、
前記訓練モード切り替え要求を受けたとき、防災訓練が実施中のときは実施中の防災訓練を強制終了して、要求を受けた訓練モードに切り替える訓練モード強制切り替え機能と、
を有することを特徴とする請求項５に記載の防災訓練支援システム。
【請求項７】
前記防災拠点連携手段は、
前記緊急対策拠点と防災訓練拠点の両拠点に、防災訓練支援システムのオペレータによる操作を受けてシミュレーションの実行要求信号を送信するシミュレーション実行要求部を有し、
オペレータによる選択を受けて、前記両拠点のシミュレーション実行要求部のうち何れか一方のシミュレーション実行要求部に対してシミュレーションの実行要求信号の送信権限を付与すると共に、その送信権限が付与されたシミュレーション実行要求部およびこのシミュレーション実行要求部が設けられた拠点のうち少なくとも一方を識別できる情報をオペレータに提示することを特徴とする請求項１に記載の防災訓練支援システム。
【請求項８】
プラントのプロセス量を監視して異常が検出されたプロセス量の実データを外部に発信するプラント運用拠点と、
前記プラント運用拠点からプロセス量の実データを受信し、このプロセス量を指標として防災対策が作成される緊急対策拠点と、
特定のプラント機器のプロセス量に異常が検出されたものと仮定したとき、そのプロセス量の異常により如何なるプラント機器のプロセス量に異常が生じ得るかを示した訓練用シナリオが登録可能に設けられ、シミュレーションの実行要求信号を受けて、登録された訓練用シナリオに示された対象プラント機器のプロセス量のシミュレーションを実行し、シミュレーション結果に応じた防災訓練を可能にする防災訓練拠点と、を備え、
前記プラント運用拠点から緊急対策拠点に送信されたプロセス量の実データを用いて訓練用シナリオを作成し、作成した訓練用シナリオを前記防災訓練拠点に登録することを特徴とする防災訓練支援方法。
【発明の詳細な説明】
【技術分野】
【０００１】
本発明は、防災訓練支援技術に係り、特に、プラント機器のプロセス量に異常が検出されたものと仮定し、そのプロセス量の異常により如何なるプラント機器のプロセス量に異常が生じ得るかを示した訓練用シナリオを用いてプロセス量のシミュレーションを実行し、このシミュレーション結果に基づいて行われる防災訓練支援システムおよび防災訓練支援方法に関する。
【背景技術】
【０００２】
従来、防災訓練支援技術としては、プラント機器のプロセス量に異常が発生した状況を仮想体験しながら防災訓練を実施できるようにして、防災訓練の実効性を高めるようにしたものが知られている（例えば、特許文献１参照）。
【先行技術文献】
【特許文献】
【０００３】
【特許文献１】特開平06-051694号公報
【発明の概要】
【発明が解決しようとする課題】
【０００４】
防災訓練の実効性を高めるためには、想定し得るプラント異常事象を網羅した訓練用シナリオを作成することが重要となる。しかしながら、プラント異常事象の発生箇所や程度の推測が及ばず、プラントにおいて実際にプロセス量の異常が検出された都度、異常が検出されたプロセス量の実データを用いて訓練用シナリオが作成されることがある。このため、プラント運用拠点から発信される異常プロセス量の実データを用いて訓練用シナリオが作成され、作成された訓練用シナリオが防災訓練拠点で行われる防災訓練に適用されるまでのプロセスを連続的且つ特定された流れとして確立させたいという要求があった。この防災訓練支援技術が確立されれば、防災訓練の実効性を確実且つ容易に高めることができる。
【０００５】
本発明は上記事情に鑑みてなされたもので、プラント運用拠点から発信される異常プロセス量の実データを用いて訓練用シナリオが作成され、作成された訓練用シナリオが防災訓練拠点で行われる防災訓練に適用されるまでのプロセスを連続的且つ特定された流れとして確立できる防災訓練のシステムおよび方法を提供することを目的とする。
【課題を解決するための手段】
【０００６】
上述した目的を達成するため、本発明に係る防災訓練支援システムでは、プラントのプロセス量を監視して異常が検出されたプロセス量の実データを外部に発信するプラント運用拠点と、このプラント運用拠点からプロセス量の実データを受信し、このプロセス量の実データを指標として防災対策が作成される緊急対策拠点と、特定のプラント機器のプロセス量に異常が検出されたものと仮定したとき、そのプロセス量の異常により如何なるプラント機器のプロセス量に異常が生じ得るかを示した訓練用シナリオが登録可能に設けられ、シミュレーションの実行要求信号を受けて、登録された訓練用シナリオに示された対象プラント機器のプロセス量のシミュレーションを実行し、シミュレーション結果に応じた防災訓練を可能にする防災訓練拠点と、前記プラント運用拠点から緊急対策拠点に送信されたプロセス量の実データを用いて訓練用シナリオを作成し、作成した訓練用シナリオを前記防災訓練拠点に登録する防災拠点連携手段と、を備えることを特徴とする。
【０００７】
また、本発明に係る防災訓練方法では、プラントのプロセス量を監視して異常が検出されたプロセス量の実データを外部に発信するプラント運用拠点と、前記プラント運用拠点からプロセス量の実データを受信し、このプロセス量を指標として防災対策が作成される緊急対策拠点と、特定のプラント機器のプロセス量に異常が検出されたものと仮定したとき、そのプロセス量の異常により如何なるプラント機器のプロセス量に異常が生じ得るかを示した訓練用シナリオが登録可能に設けられ、シミュレーションの実行要求信号を受けて、登録された訓練用シナリオに示された対象プラント機器のプロセス量のシミュレーションを実行し、シミュレーション結果に応じた防災訓練を可能にする防災訓練拠点と、を備え、前記プラント運用拠点から緊急対策拠点に送信されたプロセス量の実データを用いて訓練用シナリオを作成し、作成した訓練用シナリオを前記防災訓練拠点に登録することを特徴とする。
【発明の効果】
【０００８】
本発明によれば、プラント運用拠点から発信される異常プロセス量の実データを用いて訓練用シナリオが作成され、作成された訓練用シナリオが防災訓練拠点で行われる防災訓練に適用されるまでのプロセスを連続的且つ特定された流れとして確立できる。
【図面の簡単な説明】
【０００９】
【図１】本発明に係る防災訓練支援システムの第１実施形態を示すシステム構成図。
【図２】第１実施形態の防災訓練支援システムの要部詳細図。
【図３】本発明に係る防災訓練支援システムの第２実施形態を示すシステム構成図（要部詳細図）。
【図４】本発明に係る防災訓練支援システムの第３実施形態を示すシステム構成図（要部詳細図）。
【図５】本発明に係る防災訓練支援システムの第４実施形態を示すシステム構成図（要部詳細図）。
【図６】本発明に係る防災訓練支援システムの第５実施形態を示すシステム構成図（要部詳細図）。
【発明を実施するための形態】
【００１０】
本発明に係る防災訓練支援システムおよび防災訓練支援方法の実施形態を、添付図面を参照して説明する。
【００１１】
[第１実施形態]
図１は本発明に係る防災訓練支援システムの第１実施形態を示すシステム構成図である。
【００１２】
本実施形態の防災訓練支援システム１は、プラントを対象とした防災訓練に適用され、プラントの温度、圧力、流量などのプロセス量に異常が検出されたものと仮定して行われる防災訓練の支援システムである。この防災訓練支援システム１は、図１に示すように、プラント運用拠点10と、緊急対策拠点20と、防災訓練拠点30と、緊急対策用ネットワーク手段40と、防災拠点連携手段50と、を備える。なお、図１は防災訓練支援システム１が原子力発電プラントを対象とした防災訓練に適用された例である。
【００１３】
プラント運用拠点10は、原子力発電プラント１２のプロセス量を監視し、異常が検出されたプロセス量の実データＰを、電力会社本店１１を経由して緊急対策拠点20に送信する拠点である。緊急対策拠点20は、受信した実データＰを指標として防災対策が作成される拠点である。
【００１４】
防災訓練拠点30は、原子力発電プラント１２のプロセス量異常を想定した防災訓練が実施される拠点である。防災訓練拠点30は、シミュレータ31を備える。
【００１５】
シミュレータ31は、訓練用シナリオが登録可能に設けられる。訓練用シナリオとは、原子力発電プラント１２に設けられる特定のプラント機器（不図示）のプロセス量に異常が検出されたものと仮定したとき、そのプロセス量の異常により如何なるプラント機器のプロセス量に異常が生じ得るかを示したシナリオである。シミュレータ31では、登録された訓練用シナリオに示される対象プラント機器のプロセス量のシミュレーションが実行される。このシミュレーションの結果は、想定し得るプラント異常事象として利用される。
【００１６】
緊急対策用ネットワーク手段40は、プラント運用拠点10、緊急対策拠点20および防災訓練拠点30の各拠点間でプロセス量の実データＰの送受信を可能にするネットワークシステムである。
【００１７】
防災拠点連携手段50は、プラント運用拠点10から緊急対策拠点20に送信されたプロセス量の実データＰを取得し、この実データＰを訓練用データとして用いて訓練用シナリオを作成する。そして、作成した訓練用シナリオを防災訓練拠点30に登録する。また、防災訓練拠点30のシミュレータ31に、この登録済みの訓練用シナリオに示される対象プラント機器に関し、そのプロセス量についてのシミュレーションの実行を要求する。
【００１８】
図２は防災訓練支援システム１の要部詳細図である。
【００１９】
緊急対策拠点20は、表示手段21と、報知手段22と、を有する。表示手段21は、緊急対策拠点20が緊急対策用ネットワークシステム40を介して受信した各情報を表示するモニタである。報知手段22は、緊急対策拠点20が緊急対策用ネットワークシステム40を介して防災訓練実施信号を受信したとき、防災訓練中である旨を報知するスピーカ装置である。
【００２０】
防災訓練拠点30は、複数の防災訓練拠点30および防災訓練拠点30aから成り、それぞれシミュレータ31およびシミュレータ31aを有する。各シミュレータ31（31a）は、訓練用シナリオ・データベース32（32a）、計算機33（33a）、シミュレーション制御手段34（34a）、シミュレータ間同期手段35（35a）と、を有する。
【００２１】
訓練用シナリオ・データベース32は、訓練用シナリオを出力可能に登録する。計算機33は、訓練用シナリオ・データベース32に登録されている訓練用シナリオを用いて、この訓練用シナリオに示される対象プラント機器に関し、そのプロセス量についてのシミュレーションを実行する。
【００２２】
シミュレーション制御手段34は、訓練用シナリオ・データベース32に登録されている訓練用シナリオを取り出して計算機33に送信する。そして、シミュレーションの実行要求信号を受けたとき、上記シミュレーションを計算機33に実行させる。
【００２３】
シミュレータ間同期手段35は、他のシミュレータ31aと同期する際に用いられる。すなわち、シミュレータ間同期手段35は、シミュレータ31の訓練用シナリオ・データベース32に登録されている訓練用シナリオが計算機33で実行できない形式であった場合、シミュレーション制御手段34からその訓練用シナリオを受け取ってシミュレータ31aのシミュレータ間同期手段35aに渡す。そして、シミュレータ31aにおけるシミュレータ間同期手段35aは、シミュレーション制御手段34aにシミュレーション制御手段34と同様の処理を実行させる。なお、シミュレータ31aの各構成の機能は、シミュレータ31の各構成の機能と同様であるので、同一部分について同一符号にａを付して説明を省略する。
【００２４】
緊急対策用ネットワークシステム40は、記録手段41を有する。この記録手段41は、受信した情報を緊急対策拠点20の表示手段21に出力するための情報を記録する。また、記録した情報がプロセス量のシミュレーション値Ｓであるときは、防災訓練実施信号を緊急対策拠点20の報知手段22に送信する。
【００２５】
防災訓練支援システム１の防災拠点連携手段50は、緊急対策拠点20に設けられる緊急対策用ネットワークシステム40と防災訓練拠点30のシミュレータ31との間に介設され、訓練用シナリオ登録部52と、シミュレーション実行要求部53と、情報通信管理部54と、緊急対策拠点情報登録部55と、を有する。
【００２６】
防災拠点連携手段50の訓練用シナリオ登録部52とシミュレーション実行要求部53は、防災拠点連携手段50の訓練用シナリオ作成端末51に設けられる。なお、訓練用シナリオ作成端末51は、プラント運用拠点10から緊急対策拠点20に送信されたプロセス量の実データＰを用いて訓練用シナリオを作成するために必要なアプリケーション・プログラムを保有する。この訓練用シナリオ作成端末51は何処に設けてもよい。図２は訓練用シナリオ作成端末51が緊急対策拠点20に設けられた例である。
【００２７】
防災拠点連携手段50の訓練用シナリオ登録部52には、訓練用シナリオ作成端末51を介して作成され、シミュレータ31の訓練用シナリオ・データベース32に登録される訓練用シナリオが登録される。
【００２８】
防災拠点連携手段50のシミュレーション実行要求部53は、防災訓練支援システム１のオペレータによる操作を受け、シミュレータ31のシミュレーション制御手段34に対してシミュレーションの実行要求信号を送信する。
【００２９】
防災拠点連携手段50の情報通信管理部54は、緊急対策拠点20および防災訓練拠点30の適所に設けられる。図２は情報通信管理部54が防災訓練拠点30のシミュレータ31および緊急対策拠点20の緊急対策用ネットワークシステム40に設けられた例である。
【００３０】
防災訓練拠点30のシミュレータ31に設けられた情報通信管理部54は、訓練用シナリオ登録部52に登録された訓練用シナリオを取り出し、シミュレータ31の訓練用シナリオ・データベース32に登録する。また、緊急対策拠点20の緊急対策用ネットワーク手段40に設けられた情報通信管理部54は、シミュレータ31の計算機33で算出されたプロセス量のシミュレーション値Ｓを受け取り、このシミュレーション値Ｓを緊急対策用ネットワークシステム40の記録手段41に記録する。
【００３１】
防災拠点連携手段50の緊急対策拠点情報登録部55には、シミュレータ31に設けられた情報通信管理部54によるシミュレーション値Ｓの送信先となる緊急対策拠点20の識別情報が登録される。シミュレータ31に設けられた情報通信管理部54は、シミュレーション値Ｓを緊急対策拠点20に送信する際に、この緊急対策拠点情報登録部55から送信先の緊急対策拠点20の識別情報を取り出す。
【００３２】
次に、防災訓練支援システム１の作用を説明する。
【００３３】
プラント運用拠点10から異常が検出されたプロセス量の実データＰが外部発信されたとき、この実データＰは緊急対策拠点20の緊急対策用ネットワークシステム40により受信される。緊急対策拠点20では、受信した実データＰに基づき如何なる異常が発生しているかを分析し、その分析結果を踏まえて防災対策が策定される。また、緊急対策拠点20では、防災拠点連携手段50の訓練用シナリオ作成端末51を介して、受信したプロセス量の実データＰから訓練用シナリオが作成される。すなわち、プラント運用拠点10から緊急対策拠点20に送信されたプロセス量の実データＰは、防災対策の策定に用いられると共に訓練用シナリオの作成に必要な訓練用データとして用いられる。
【００３４】
緊急対策拠点20で作成された訓練用シナリオは、防災拠点連携手段50の情報通信管理部54により、防災訓練拠点30に設けられるシミュレータ31の訓練用シナリオ登録部52に登録される。そして、この訓練用シナリオ登録部52に登録された訓練用シナリオは、プラント機器のプロセス量のシミュレートに用いられる。すなわち、防災拠点連携手段50のシミュレーション実行要求部53からシミュレータ31のシミュレーション制御手段34に対してシミュレーションの実効要求信号が送信されたとき、このシミュレーション制御手段34によって訓練用シナリオ登録部52に登録された訓練用シナリオが計算機33に送信される。それと共に、計算機33による訓練用シナリオを用いたプラント機器のプロセス量のシミュレーションが実行される。このように、異常が検出されたプロセス量の実データＰを取得して訓練用シナリオが作成されるまでのプロセスと、作成された訓練用シナリオが防災訓練拠点30で行われる防災訓練に適用されるまでのプロセスが連続的で且つ特定された流れとなる。
【００３５】
次に、防災訓練支援システム１の効果を説明する。
【００３６】
防災訓練支援システム１にあっては、
(1) プラントのプロセス量を監視して異常が検出されたプロセス量の実データを外部に発信するプラント運用拠点10と、プラント運用拠点10から発信されたプラントのプロセス量の実データＰを受信し、この実データＰを指標として防災対策が作成される緊急対策拠点20と、訓練用シナリオが登録可能に設けられ、登録された訓練用シナリオに示された対象プラント機器のプロセス量のシミュレーションを実行し、シミュレーション結果の異常に応じた防災訓練を可能にする防災訓練拠点30と、プラント運用拠点10から緊急対策拠点20に送信されたプロセス量の実データＰを訓練用データとして用いて訓練用シナリオを作成し、作成した訓練用シナリオを防災訓練拠点30に登録する防災拠点連携手段50と、を備える。このため、プラント運用拠点から発信される異常プロセス量の実データを用いて訓練用シナリオが作成され、作成された訓練用シナリオが防災訓練拠点で行われる防災訓練に適用されるまでのプロセスを連続的且つ特定された流れとして確立できる。
【００３７】
(2) 防災拠点連携手段50は、防災訓練支援システム１のオペレータによる操作を受け、防災訓練拠点30に対してシミュレーションの実行要求信号を送信するシミュレーション実行要求部53と、防災訓練拠点30で実行されるシミュレーションにより得られたプロセス量のシミュレーション値Ｓを、緊急対策拠点20に送信する情報通信管理部54と、を有する。このため、緊急対策拠点20における応急対策の策定に必要なプロセス量Ｐのシミュレーションを、防災訓練拠点30に設けられるシミュレータ31を利用して実行できる。
【００３８】
(3) 緊急対策拠点20は、防災訓練拠点30で実行されるシミュレーションにより得られたプロセス量のシミュレーション値Ｓを受け取ったとき、防災訓練が実施中である旨を報知する報知手段22を有する。このため、緊急対策拠点20において、防災訓練拠点30で防災訓練が開始されたことを迅速且つ確実に知ることができる。この結果、たとえば、緊急対策拠点20の表示手段２１にプロセス量のシミュレーション値Ｓが表示されたとき、このシミュレーション値Ｓに基づきプロセス量の実データが異常であると混同して応急対策が策定されるといった判断ミスを防止できる。
【００３９】
[第２実施形態]
図３は本発明に係る防災訓練支援システムの第２実施形態を示すシステム構成図（要部詳細図）である。
【００４０】
第２実施形態は、第１実施形態における防災訓練支援システム１の防災拠点連携手段50（図１参照）に構成を追加した例である。なお、第１実施形態と同様の構成は、同一符号を付して説明を省略し、第１実施形態の構成を変更し或いは新たに追加した構成は、符号末尾に「Ａ」を付して説明する。
【００４１】
本実施形態における防災訓練支援システム１Ａの防災拠点連携手段50Ａ（図１参照）は、図３に示すように、データ統合部56Ａを備える。
【００４２】
この防災拠点連携手段50Ａのデータ統合部56Ａは、防災訓練拠点30で実行されるシミュレーションにより得られ、緊急対策拠点20に送信されるプロセス量のシミュレーション値Ｓと、プラント運用拠点10で取得され、緊急対策拠点20に送信されるプロセス量の実データＰとの統合データ「Ｐ／Ｓ」を作成する。この統合データ「Ｐ／Ｓ」のフォーマット561Ａは、実データのフォーマット561と同様である。また、データ統合部56Ａは、プロセス量のシミュレーション値Ｓと実データＰとを識別可能な情報を統合データ「Ｐ／Ｓ」に付加する。たとえば、統合データの「番号２」の項目がプロセス量のシミュレーション値Ｓであるとき、「信号指標」に「Sim」を付加する。
【００４３】
次に、防災訓練支援システム１Ａの効果を説明する。
【００４４】
防災訓練支援システム１Ａにあっては、第１実施形態の(1)〜(3)の効果に加え、下記の効果を得ることができる。
【００４５】
(4) 防災訓練支援システム１Ａは、データ統合部56Ａを有する。これにより、プロセス量のシミュレーション値Ｓと実データを１つのデータファイルとして緊急対策拠点20に送信できる。そして、統合データ「Ｐ／Ｓ」のフォーマット561Ａは、実データＰのフォーマット561と同様であるので、統合データの専用送信路を設ける必要がない。加えて、プロセス量の実データとシミュレーション値Ｓとが識別容易となる。このため、緊急対策拠点20にプロセス量Ｐのシミュレーション値Ｓが送信されたとき、このシミュレーション値Ｓに基づいてプロセス量の実データＰが異常であると混同して応急対策が策定されるといった判断ミスを防止できる。
【００４６】
[第３実施形態]
図４は本発明に係る防災訓練支援システムの第３実施形態を示すシステム構成図（要部詳細図）である。
【００４７】
第３実施形態は、第１実施形態における防災訓練支援システム１の防災拠点連携手段50（図１参照）に構成を追加した例である。なお、第１実施形態と同様の構成は、同一符号を付して説明を省略し、第１実施形態の構成を変更し或いは新たに追加した構成は、符号末尾に「Ｂ」を付して説明する。
【００４８】
本実施形態における防災訓練支援システム１Ｂの防災拠点連携手段50Ｂ（図１参照）は、図４に示すように、訓練モードデータベース57Ｂと、訓練モード切り替え部58Ｂと、を有する。
【００４９】
防災拠点連携手段50Ｂの訓練モードデータベース57Ｂには、訓練モードとして、「単独訓練モード実行中」、「連携訓練モード実行中」、「連携訓練モード実行中／単独訓練モード受付済み」、「単独訓練モード実行中／連携訓練モード受付済み」、「訓練休止中」が記録される。連携訓練モードでは、緊急対策拠点20に送信されたプロセス量の実データＰを用いて作成された訓練用シナリオに基づいた防災訓練すなわち第１実施形態と同様の防災訓練が実施される。単独訓練モードでは、緊急対策拠点20に送信されたプロセス量の実データＰを用いられず、防災訓練拠点30で独自作成された訓練用シナリオに基づいた防災訓練が実施される。なお、訓練モードの内容は、訓練モードの切り替え利便性を考慮して設定される。
【００５０】
訓練モード切り替え部58Ｂは、オペレータから訓練モード切り替え要求を受けたとき、訓練モードデータベース57Ｂに記録されている訓練モードを要求に従い更新する。訓練モードの記録更新の方法は、「訓練モード通常切り替え」と「訓練モード強制切り替え」の２種類が用意され、オペレータにより選択される。なお、訓練モードは、シミュレータ31に設けられる情報通信管理部54によって、訓練モードデータベース57Ｂの記録内容に従い切り替えられる。
【００５１】
次に、防災訓練支援システム１Ｂの作用を説明する。
【００５２】
「訓練モード通常切り替え」が選択されている状態で訓練モード切り替え部58Ｂが訓練モード切り替え要求を受けたとき、訓練モードデータベース57Ｂの記録内容が「連携訓練モード実行中／単独訓練モード受付済み」或いは「単独訓練モード実行中／連携訓練モード受付済み」に更新される。
【００５３】
訓練モードデータベース57Ｂの記録内容が「連携訓練モード実行中／単独訓練モード受付済み」に更新された場合、シミュレータ31に設けられる情報通信管理部54が連携訓練モードによる防災訓練の終了信号を受信したことを条件に、この情報通信管理部54によって訓練モードが単独訓練モードに切り替えられる。この情報通信管理部54が連携訓練モードの終了信号を受信するまでは、単独訓練モードの受付状態となる。同様に、訓練モードデータベース57Ｂの記録内容が「単独訓練モード実行中／連携訓練モード受付済み」に交信された場合、シミュレータ31に設けられる情報通信管理部54が単独訓練モードによる防災訓練の終了信号を受信したことを条件に、この情報通信管理部54によって訓練モードが連携訓練モードに切り替えられる。この情報通信管理部54が単独訓練モードによる防災訓練の終了信号を受信するまでは、連携訓練モードの受付状態となる。
【００５４】
他方、「訓練モード強制切り替え」が選択されている状態で訓練モード切り替え部58Ｂが訓練モード切り替え要求を受けたとき、訓練モードデータベース57Ｂの記録内容が「単独訓練モード実行中」、「連携訓練モード実行中」或いは「訓練休止中」に更新される。このとき、訓練モードデータベース57Ｂの記録内容がどのようなものであっても、訓練モードデータベース57Ｂの記録内容はその要求に従い更新される。たとえば、単独訓練モードによる防災訓練の実施中に連携訓練モードによる防災訓練への切り替え要求を受けたとき、訓練モードデータベース57Ｂの記録内容は、訓練モード切り替え部58Ｂによって「単独訓練モード実行中」から「連携訓練モード実行中」に強制的に更新される。そして、シミュレータ31に設けられる情報通信管理部54によって、訓練モードが連携訓練モードに切り替えられる。
【００５５】
次に、防災訓練支援システム１Ｂの効果を説明する。
【００５６】
防災訓練支援システム１Ｂにあっては、第１実施形態の(1)〜(3)の効果に加え、下記の効果を得ることができる。
【００５７】
(5) 防災拠点連携手段50Ｂは、訓練モード切り替え要求を受けて、緊急対策拠点20に送信されたプロセス量の実データＰを用いて作成された訓練用シナリオを用いる連携訓練モードとするか、緊急対策拠点に送信されたプロセス量の実データＰを用いないで作成された訓練用シナリオを用いる単独訓練モードとするかの訓練モード切り替えを行う。このため、状況に応じた適切な防災訓練が実施できる。たとえば、プラントのプロセス量に異常が検出された場合、緊急対策拠点20にプロセス量のシミュレーション値Ｓが送信されないよう、単独モードを選択することもできる。この結果、プロセス量のシミュレーション値Ｓに基づきプロセス量の実データＰが異常であると混同し、応急対策が策定されるといった判断ミスを防止できる。
【００５８】
(6) 防災拠点連携手段50Ｂは、訓練モード切り替え要求を受けたとき、防災訓練が実施中のときは実施中の防災訓練の終了信号を受けたことを条件に、要求を受けた訓練モードに切り替える「訓練モード通常切り替え」と、訓練モード切り替え要求を受けたとき、防災訓練が実施中のときは実施中の防災訓練を強制終了して、要求を受けた訓練モードに切り替える「訓練モード強制切り替え」と、を実行する。このため、訓練モードの切り替え利便性が向上する。
【００５９】
[第４実施形態]
図５は本発明に係る防災訓練支援システムの第４実施形態を示すシステム構成図（要部詳細図）である。
【００６０】
第４実施形態は、第１実施形態における防災訓練支援システム１の防災拠点連携手段50（図１参照）に構成を追加した例である。なお、第１実施形態と同様の構成は、同一符号を付して説明を省略し、第１実施形態の構成を変更し或いは新たに追加した構成は、符号末尾に「Ｃ」を付して説明する。
【００６１】
本実施形態における防災訓練支援システム１Ｃの防災拠点連携手段50Ｃ（図１参照）は、図５に示すように、インストラクタ端末59Ｃと、全計算機特性データベース593Ｃと、計算機特性データベース594Ｃと、訓練用シナリオ作成部595Ｃと、全訓練用シナリオ・データベース596Ｃと、を備える。
【００６２】
防災拠点連携手段50Ｃのインストラクタ端末59Ｃは、各防災訓練拠点50（50a）に設けられる。各インストラクタ端末59Ｃは、シミュレーション実行拠点選択部（シミュレータコントロール選択手段）591Ｃと、シミュレーション実行拠点表示部（シミュレータコントロール状態表示手段）592Ｃと、を有する。
【００６３】
インストラクタ端末59Ｃのシミュレーション実行拠点選択部591Ｃは、オペレータによる要求に従い、シミュレーション制御手段34に対してシミュレーションの実行要求信号を送信できる権限を、このインストラクタ端末59Ｃに付与するか、防災拠点連携手段50Ｃのシミュレーション実行要求部53に与えるかの選択信号をシミュレーション制御手段34に送信する。シミュレーション制御手段34は、この選択信号に従い、このシミュレーション制御手段34にシミュレーションの実行要求信号を送信できる権限をインストラクタ端末59Ｃ或いはシミュレーション実行要求部53に設定する。また、インストラクタ端末59Ｃとシミュレーション実行要求部53のいずれかが、シミュレーションの実行要求信号を送信する権限を有するかを示した識別データを、防災拠点連携手段50Ｃのシミュレーション実行拠点表示部592Ｃに送信する。
【００６４】
防災拠点連携手段50Ｃのシミュレーション実行拠点表示部592Ｃは、上記識別データを受信して、シミュレーションの実行要求信号を送信する権限を有するシミュレーション実行要求部（インストラクタ端末59Ｃ或いはシミュレーション実行要求部53）ならびにそのシミュレーション実行要求部が設けられている拠点を表示する。なお、シミュレーション実行拠点表示部592Ｃは緊急対策拠点20にも設けられており、このシミュレーション実行拠点表示部592Ｃにも同様の表示が行われる。
【００６５】
訓練用シナリオ作成端末51Ｃの全計算機特性データベース593Ｃには、防災拠点連携手段50Ｃに接続されている各シミュレータ31（31a）に設けられる計算機33（33a）で用いられる訓練用シナリオならびにシミュレーションに必要なファンクション、初期状態、シミュレーションポイントおよびマルファンクションなどが出力可能に登録される。ファンクションは、たとえば、シミュレーションの初期条件、開始および終了の条件、実行時刻などから構成される。シミュレーションポイントは、シミュレーションの対象であり、プロセス量を計測するセンサ、プラント制御機器或いは信号伝送路などから構成される。なお、訓練用シナリオ、ファンクションなどの情報は、情報通信管理部54を介して、各防災訓練拠点30（30a）に設けられるシミュレータ31（31a）の計算機特性データベース594Ｃから全計算機特性データベース593Ｃに送信される。なお、ファンクションおよびシミュレーションポイントは、あらかじめシミュレーション・データベース597Ｃに記録される。
【００６６】
訓練用シナリオ作成端末51Ｃの訓練用シナリオ作成部595Ｃは、全計算機特性データベース593Ｃから訓練用シナリオやファンクションなどを取り出す。そして、取り出した情報に基づいて、全訓練用シナリオ・データベース596Ｃに登録されている訓練用シナリオを、各防災訓練拠点30（30a）に設けられるシミュレータ31（31a）の計算機33（33a）で実行可能な形式に改変する。そして、改変により作成された訓練用シナリオにシナリオＩＤを付加する。
【００６７】
次に、防災訓練支援システム１Ｃの作用を説明する。
【００６８】
全訓練用シナリオ・データベース596Ｃに登録された訓練用シナリオは、訓練用シナリオ作成端末51Ｃの訓練用シナリオ登録部52により取り出され、各シミュレータ31（31a）の情報通信管理部54に送信される。そして、訓練用シナリオは、この情報通信管理部54によって、各防災訓練拠点30（30a）に設けられるシミュレータ31（31a）の訓練用シナリオ・データベース32（32a）に登録される。
【００６９】
訓練用シナリオ作成端末51Ｃのシミュレーション実行要求部53或いはインストラクタ端末59Ｃからシミュレーションの実行要求信号が出力されたとき、シミュレータ31の計算機33或いは／およびシミュレータ31aの計算機33aにより訓練用シナリオに従ったシミュレーションが開始される。なお、防災訓練拠点30或いは防災訓練拠点30aのうち、いずれの防災訓練拠点に設けられる計算機でシミュレーションを実行するかは、オペレータにより選択される。
【００７０】
ここで、シミュレーションの実行要求信号として、一括実行要求信号と個別実行要求信号が用意される。一括実行要求信号は、防災拠点連携手段50Ｃの情報通信管理部54に送信された訓練用シナリオのすべてを一括して実行するよう要求する信号である。情報通信管理部54は、シミュレーション実行要求部53から一括実行要求信号を受信したときは、シミュレーション制御手段34に対して、受信した訓練用シナリオのすべてのＩＤを送信する。
【００７１】
一方、個別実行要求信号は、防災拠点連携手段50Ｃの情報通信管理部54に送信された訓練用シナリオを部分的に実行するよう要求する信号である。情報通信管理部54は、シミュレーション実行要求部53から個別実行要求信号を受信したときは、シミュレーション制御手段34に対して訓練用シナリオのＩＤをあらかじめ設定された条件に従って分割して送信する。
【００７２】
各防災訓練拠点30（30a）に設けられるシミュレータ31（31a）において、シミュレーション制御手段34（34a）は、情報通信管理部54から取得したシナリオＩＤに一致する訓練用シナリオを訓練用シナリオ・データベース32（32a）から取り出す。そして、取り出した訓練用シナリオを計算機33（33a）に送信すると共に計算機33（33a）に訓練用シナリオに従ったシミュレーションを実行させる。
【００７３】
また、各計算機33（33a）によるプロセス量のシミュレーション値Ｓは、防災拠点連携手段50Ｃの情報通信管理部54により、シミュレーション実行要求部53に送信される。そして、シミュレーション実行要求部53には、そのシミュレーション値Ｓと共に各計算機33（33a）の進行状況も送信され、各計算機33（33a）の進行情報がシミュレーション実行要求部53の内部表示部（不図示）に表示される。オペレータは、この表示に基づいてシミュレーションの実行中或いは完了を判断でき、シミュレーション実行要求部53に対して次回のシミュレーションの実行要求タイミングを計ることができる。
【００７４】
次に、防災訓練支援システム１Ｃの効果を説明する。
【００７５】
防災訓練支援システム１Ｃにあっては、第１実施形態の(1)〜(3)の効果に加え、下記の効果を得ることができる。
【００７６】
(7) 防災拠点連携手段50Ｃは、緊急対策拠点20と防災訓練拠点30の両拠点に、防災訓練支援システム１Ｃのオペレータによる操作を受けてシミュレーションの実行要求信号を送信するシミュレーション実行要求部を有する。そして、オペレータによる選択を受けて、両拠点のシミュレーション実行要求部のうち何れか一方のシミュレーション実行要求部に対してシミュレーションの実行要求信号の送信権限を付与すると共に、その送信権限が付与されたシミュレーション実行要求部およびこのシミュレーション実行要求部が設けられた拠点のうち少なくとも一方を識別できる情報をオペレータに提示する。このため、緊急対策拠点20と防災訓練拠点30（30a）のうち何れの拠点からも、プラント機器のプロセス量についてのシミュレーションを実行できる。また、そのシミュレーションの実行権限が緊急対策拠点20と防災訓練拠点30（30a）の何れに付与されているかを容易に判別できる。
【００７７】
(8) 防災拠点連携手段50Ｃは、防災訓練拠点30（30a）に設けられてシミュレーションを実行する計算機33（33a）で実行可能な訓練用シナリオを作成する訓練用シナリオ作成部595Ｃを有するため、訓練用シナリオの汎用性が向上する。
【００７８】
[第５実施形態]
図６は本発明に係る防災訓練支援システムの第５実施形態を示すシステム構成図（要部詳細図）である。
【００７９】
第５実施形態は、第１実施形態における防災訓練支援システム１の緊急対策拠点20（図１参照）に構成を追加した例である。なお、第１実施形態と同様の構成は、同一符号を付して説明を省略し、第１実施形態の構成を変更し或いは新たに追加した構成は、符号末尾に「Ｄ」を付して説明する。
【００８０】
本実施形態における防災訓練支援システム１Ｄの緊急対策拠点20Ｄ（図１参照）は、図６に示すように、事故シミュレータとしての系統事故シミュレータ23Ｄを備える。この系統事故シミュレータ23Ｄは、系統事故訓練用シナリオ・データベース24Ｄと、系統事故シミュレーション制御手段25Ｄと、系統事故シミュレーション用計算機26Ｄと、系統データ送信手段27Ｄと、を有する。
【００８１】
系統事故シミュレータ23Ｄの系統事故訓練用シナリオ登録部52Ｄは、訓練用シナリオ作成端末51を介して作成され、系統事故訓練用シナリオを登録する。系統事故訓練用シナリオは、落雷や停電等によるプラント各系統に設けられるプラント機器の事故原因およびプラント機器の事故発生タイミングの算出に必要なシナリオである。
【００８２】
系統事故シミュレータ23Ｄの系統事故シミュレーション制御手段25Ｄは、シミュレーション実行要求部53からシミュレーションの実行要求信号を受けて、系統事故シミュレーション用計算機26Ｄを起動させる。また、系統事故シミュレーション制御手段25Ｄは、防災拠点連携手段50の情報通信管理部54を介して、系統事故訓練用シナリオ登録部52Ｄに登録されている系統事故訓練用シナリオを系統事故シミュレーション用計算機26Ｄに送信する。なお、防災訓練拠点30または防災訓練拠点30aのうち何れか一方に系統事故訓練用シナリオがあるときは、その防災訓練拠点から系統事故訓練用シナリオを取得するようにしても良い。
【００８３】
系統事故シミュレータ23Ｄの系統事故シミュレーション用計算機26Ｄは、系統事故訓練用シナリオ登録部52Ｄに登録されている系統事故訓練用シナリオを用いてプラント機器の事故シミュレーションを実行する。この事故シミュレーションでは、落雷や停電等によるプラント各系統に設けられるプラント機器の事故原因およびプラント機器の事故発生タイミングが算出される。なお、系統事故シミュレータ23Ｄの系統データ送信手段27Ｄは、系統事故訓練用シナリオに含まれる各種系統パラメータを外部送信する。たとえば、防災訓練拠点30で系統パラメータが必要な場合、系統データ送信手段27Ｄは防災訓練拠点30に系統パラメータを送信する。
【００８４】
次に、防災訓練支援システム１Ｄの効果を説明する。
【００８５】
防災訓練支援システム１Ｄにあっては、第１実施形態の(1)〜(3)の効果に加え、下記の効果を得ることができる。
【００８６】
(9) 緊急対策拠点20Ｄは、プラント各系統に設けられるプラント機器の事故シミュレーションを行う系統事故シミュレータ23Ｄを有するため、緊急対策拠点20Ｄで、プラント機器の事故シミュレーションを実行できるようになる。
【符号の説明】
【００８７】
１…防災訓練支援システム，１０…プラント運用拠点，２０…緊急対策拠点，２１…表示手段，２２…報知手段，２３Ｄ…系統事故シミュレータ，２４Ｄ…系統事故訓練用シナリオ・データベース，２５Ｄ…系統事故シミュレーション制御手段，２６Ｄ…系統事故シミュレーション用計算機，２７Ｄ…系統データ送信手段，３０…防災訓練拠点，３１、３１ａ…シミュレータ，３２、３２ａ…訓練用シナリオ・データベース，３３、３３ａ…計算機，３4、３4ａ…シミュレーション制御手段，３５、３５ａ…シミュレータ間同期手段，４０…緊急対策用ネットワーク手段，４１…記録手段，５０…防災拠点連携手段，５１…訓練用シナリオ作成20端末，５２…訓練用シナリオ登録部，５３…シミュレーション実行要求部，５４…情報通信管理部，５５…緊急対策拠点情報登録部，５６Ａ…データ統合部，５６１Ａ…統合データのフォーマット，５７Ｂ…訓練モードデータベース，５８Ｂ…訓練モード切り替え部，５９Ｃ…インストラクタ端末，５９１Ｃ…シミュレーション実行拠点選択部，５９２Ｃ…シミュレーション実行拠点表示部，５９３Ｃ…全計算機特性データベース，５９４Ｃ…計算機特性データベース，５９５Ｃ…訓練用シナリオ作成部，５９６Ｃ…全訓練用シナリオ・データベース，５９７Ｃ…シミュレーション・データベース．
【図１】
2010271591.tif 000003
【図２】
2010271591.tif 000004
【図３】
2010271591.tif 000005
【図４】
2010271591.tif 000006
【図５】
2010271591.tif 000007
【図６】
2010271591.tif 000008